(57)【特許請求の範囲】
【請求項１】
データキャリアと、前記データキャリアからのデータを読出すリーダと、を有する非接触識別システムにおいて、
前記データキャリアは、
ＩＤコード領域を有するメモリと、
前記ＩＤコードをデコードして仮識別番号を生成する仮識別番号生成手段と、
多重コマンドの受信時に前記仮識別番号生成手段によって生成された仮識別番号を送信し、送信した仮識別番号と一致するデータが受信されたかどうかを判別する判別手段と、
前記判別手段による一致判別時にＩＤコードを送信するＩＤコード送信手段と、を有し、
前記リーダは、
前記データキャリアのＩＤコードをデコードして返信することを要求する多重コマンドを送信する多重コマンド送信手段と、
通信領域にあるデータキャリアからの重ね合わせられた仮識別番号から特定の仮識別番号のデータキャリアを選択し、選択したデータキャリアからのＩＤコードを受信することにより、データキャリアを識別するデータキャリア識別手段と、を具備することを特徴とする非接触識別システム。
【請求項２】
データキャリアと、前記データキャリアからのデータを読出すリーダと、を有する非接触識別システムにおいて、
前記データキャリアは、
ＩＤコード領域を有するメモリと、
前記ＩＤコードのうち指定されたエリアをデコードして仮識別番号を生成する仮識別番号生成手段と、
多重コマンドの受信時に前記仮識別番号生成手段によって生成された仮識別番号を送信し、送信した仮識別番号と一致するデータが受信されたかどうかを判別する判別手段と、
前記判別手段による一致判別時にＩＤコードを送信するＩＤコード送信手段と、を有し、
前記リーダは、
データキャリアのＩＤコードのうちの所定のエリアをデコードして返信することを要求する多重コマンドを送信する多重コマンド送信手段と、
通信領域にあるデータキャリアからの重ね合わせられた仮識別番号から特定の仮識別番号のデータキャリアを選択し、選択したデータキャリアからのＩＤコードを受信することにより、データキャリアを識別するデータキャリア識別手段と、を具備することを特徴とする非接触識別システム。
【請求項３】
データキャリアと、前記データキャリアからのデータを読出すリーダと、を有する非接触識別システムにおいて、
前記データキャリアは、
ＩＤコード領域を有するメモリと、
前記ＩＤコードのうち指定されたエリアをデコードして仮識別番号を生成する仮識別番号生成手段と、
多重コマンドの受信時に前記仮識別番号生成手段によって生成された仮識別番号を送信し、送信した仮識別番号と一致するデータが受信されたかどうかを判別する判別手段と、
前記判別手段による一致判別時にＩＤコードを送信するＩＤコード送信手段と、
前記ＩＤコード送信手段によるＩＤコードの送信後にリーダとのデータ通信を行うデータ通信手段と、を有し、
前記リーダは、
データキャリアのＩＤコードのうちの所定のエリアをデコードして返信することを要求する多重コマンドを送信する多重コマンド送信手段と、
通信領域にあるデータキャリアからの重ね合わせられた仮識別番号から特定の仮識別番号のデータキャリアを選択し、選択したデータキャリアからのＩＤコードを受信することにより、データキャリアを識別するデータキャリア識別手段と、
選択したデータキャリアとの間でデータ通信を行うデータ通信手段と、を具備することを特徴とする非接触識別システム。
【請求項４】
前記データキャリアの判別手段は、前記リーダに送信した仮識別番号と受信した仮識別番号とが一致するかどうかを判別するものであり、
前記リーダのデータキャリア識別手段は、選択したデータキャリアの仮識別番号を送信するものであることを特徴とする請求項１〜３のいずれか１項記載の非接触識別システム。
【請求項５】
前記データキャリアの判別手段は、仮識別番号に変換して前記リーダに送信したＩＤコードと受信したＩＤコードとが一致するかどうかを判別するものであり、
前記リーダのデータキャリア識別手段は、選択したデータキャリアの仮識別番号をエンコードしてＩＤコードとして送信するものであることを特徴とする請求項１〜３のいずれか１項記載の非接触識別システム。
【請求項６】
前記リーダは、前記データキャリアから伝送されたＩＤコードの受信時にエラーが生じたとき前記多重コマンドの指定エリアを変更するエリア変更手段を更に有することを特徴とする請求項２又は３記載の非接触識別システム。
【発明の詳細な説明】
【０００１】
【発明の属する技術分野】
本発明はデータキャリアとリーダから成る非接触識別システムに関し、特に通信領域に複数のデータキャリアが存在する場合にデータキャリアを識別し、識別したデータキャリアとの間でデータ通信を行う非接触識別システムに関するものである。
【０００２】
【従来の技術】
従来、組立搬送ラインでの部品，製品の識別や麻雀牌等の識別、スキー場のゲート、自動改札機等において搬送や入改札を機械化するためには、製品や通過する人を識別するシステムが必要となる。そこで特開平１−１５１８３１号に示されているように、識別対象物にメモリを有するメモリユニット（データキャリア）を設け、外部からデータ伝送によってこのようなメモリに必要な情報を書込んでおき、必要に応じてその情報を読出すようにした非接触識別システムが提案されている。
【０００３】
さて非接触識別システムにおいては、図８（ａ）に示すように複数のデータキャリア（ＤＣ）１０１−１〜１０１−４がリードライトヘッド（ＲＷＨ）１０２の通信領域に入ってくる場合がある。このような場合も正常にデータ通信をするため、各データキャリアを識別する必要がある。従来の識別システムでは、データキャリアを識別するために、あらかじめ夫々のデータキャリアに固有の識別番号を持たせ、リードライトヘッドから識別番号を知るためのコマンドを送信し、データキャリアからの識別番号のデータを受信するようにしている。このとき複数のデータキャリアが通信領域にあって、同時にデータキャリアから応答があると混信してリードライトヘッド側に正常に伝送できなくなる。このため各データキャリアは図８（ｂ）に示すようにこのコマンドを受信した後、乱数によって定まる時間後に応答し、各データキャリアの応答が重ならないようにした識別システムが知られている。
【０００４】
又特開平８−１６７３９号公報に示されているように、夫々のデータキャリアに固有の照合用データを設定しておき、複数のデータキャリアが通信領域にある場合に１ビットづつ照合用データを各データキャリアより返送させ、混信がある場合にいずれかの論理レベルをリードライトヘッド側から設定し、これと一致するデータキャリアのみを通信可能状態として特定のデータキャリアを識別するようにした方法が提案されている。
【０００５】
【発明が解決しようとする課題】
しかしながらこのような複数のデータキャリアを識別する方法にあっては、乱数で定まる所定時間後に各データキャリアからの応答を待受けるようにすると、常に最大応答時間まで待機する必要がある。従って全データキャリアとの交信を終了させるまでに長時間が必要であるという欠点があった。又乱数によって応答までの時間を制御する場合にも、複数のデータキャリアで通信が重なり合う可能性があるという欠点があった。
【０００６】
更に１ビットづつ照合用データを確認する方法にあっても、１ビットの送信毎に混信状態かどうかを識別する必要があり、データキャリアとリードライトヘッドとの通信が必要となるため、複数のデータキャリアを識別するためには長時間が必要であるという欠点があった。
【０００７】
請求項１〜６の発明はこのような従来の問題点に着目してなされたものであり、通信領域内にあるデータキャリアを同時に識別すること、及び識別した後に交信を短時間で終了できるようにすることを技術的課題とする。
【０００８】
【課題を解決するための手段】
本願の請求項１の発明は、データキャリアと、前記データキャリアからのデータを読出すリーダと、を有する非接触識別システムにおいて、前記データキャリアは、ＩＤコード領域を有するメモリと、前記ＩＤコードをデコードして仮識別番号を生成する仮識別番号生成手段と、多重コマンドの受信時に前記仮識別番号生成手段によって生成された仮識別番号を送信し、送信した仮識別番号と一致するデータが受信されたかどうかを判別する判別手段と、前記判別手段による一致判別時にＩＤコードを送信するＩＤコード送信手段と、を有し、前記リーダは、前記データキャリアのＩＤコードをデコートして返信することを要求する多重コマンドを送信する多重コマンド送信手段と、通信領域にあるデータキャリアからの重ね合わせられた仮識別番号から特定の仮識別番号のデータキャリアを選択し、選択したデータキャリアからのＩＤコードを受信することにより、データキャリアを識別するデータキャリア識別手段と、を具備することを特徴とするものである。
【０００９】
本願の請求項２の発明は、データキャリアと、前記データキャリアからのデータを読出すリーダと、を有する非接触識別システムにおいて、前記データキャリアは、ＩＤコード領域を有するメモリと、前記ＩＤコードのうち指定されたエリアをデコードして仮識別番号を生成する仮識別番号生成手段と、多重コマンドの受信時に前記仮識別番号生成手段によって生成された仮識別番号を送信し、送信した仮識別番号と一致するデータが受信されたかどうかを判別する判別手段と、前記判別手段による一致判別時にＩＤコードを送信するＩＤコード送信手段と、を有し、前記リーダは、データキャリアのＩＤコードのうちの所定のエリアをデコードして返信することを要求する多重コマンドを送信する多重コマンド送信手段と、通信領域にあるデータキャリアからの重ね合わせられた仮識別番号から特定の仮識別番号のデータキャリアを選択し、選択したデータキャリアからのＩＤコードを受信することにより、データキャリアを識別するデータキャリア識別手段と、を具備することを特徴とするものである。
【００１０】
本願の請求項３の発明は、データキャリアと、前記データキャリアからのデータを読出すリーダと、を有する非接触識別システムにおいて、前記データキャリアは、ＩＤコード領域を有するメモリと、前記ＩＤコードのうち指定されたエリアをデコードして仮識別番号を生成する仮識別番号生成手段と、多重コマンドの受信時に前記仮識別番号生成手段によって生成された仮識別番号を送信し、送信した仮識別番号と一致するデータが受信されたかどうかを判別する判別手段と、前記判別手段による一致判別時にＩＤコードを送信するＩＤコード送信手段と、前記ＩＤコード送信手段によるＩＤコードの送信後にリーダとのデータ通信を行うデータ通信手段と、を有し、前記リーダは、データキャリアのＩＤコードのうちの所定のエリアをデコードして返信することを要求する多重コマンドを送信する多重コマンド送信手段と、通信領域にあるデータキャリアからの重ね合わせられた仮識別番号から特定の仮識別番号のデータキャリアを選択し、選択したデータキャリアからのＩＤコードを受信することにより、データキャリアを識別するデータキャリア識別手段と、選択したデータキャリアとの間でデータ通信を行うデータ通信手段と、を具備することを特徴とするものである。
【００１１】
本願の請求項４の発明では、前記データキャリアの判別手段は、前記リーダに送信した仮識別番号と受信した仮識別番号とが一致するかどうかを判別するものであり、前記リーダのデータキャリア識別手段は、選択したデータキャリアの仮識別番号を送信することを特徴とするものである。
【００１２】
本願の請求項５の発明では、前記データキャリアの判別手段は、仮識別番号に変換して前記リーダに送信したＩＤコードと受信したＩＤコードとが一致するかどうかを判別するものであり、前記リーダのデータキャリア識別手段は、選択したデータキャリアの仮識別番号をエンコードしてＩＤコードとして送信することを特徴とするものである。
【００１３】
本願の請求項６の発明では、前記リーダは、前記データキャリアから伝送されたＩＤコードの受信時にエラーが生じたとき前記多重コマンドの指定エリアを変更するエリア変更手段を更に有することを特徴とするものである。
【００１４】
このような特徴を有する本願の請求項１の発明によれば、メモリのＩＤコードをデコードして仮識別番号を生成し、多重コマンドに応じてリーダ側に返送する。リーダ側は多重コマンドを送信すると、通信領域内にある全てのデータキャリアからの応答が得られる。このとき仮識別番号が読出されるが、デコードされた仮識別番号は固有の位置の論理レベルを除いて共通の論理レベルを有している。従って特定の論理レベルでデータキャリアからの出力を変化させるようにしておくと、実際に通信領域にあるデータキャリアからの仮識別番号の応答は他のデータキャリアからの応答と混信せずに読取ることができる。従って応答のあったデータキャリアの論理レベルの位置に基づいてデータキャリアが識別できることとなる。又本願の請求項２〜６の発明では、ＩＤコードのうち指定されたエリアから仮識別番号を生成している。この場合にもデータキャリアからの仮識別番号の送信により、リーダ側は仮識別番号からデータキャリアを選択することができる。選択したデータキャリアからＩＤコードを更に送信することにより、データキャリアが識別できることとなる。又請求項６の発明では、複数のデータキャリアが同時にＩＤコードを送信した場合に、送信エラーが生じるため、指定エリアを変更することによりデータキャリアを識別するようにしている。
【００１５】
【発明の実施の形態】
図１は本発明の実施の形態による非接触識別システムのデータキャリアの構成を示すブロック図である。本図においてデータキャリア１はコイルＬ１，コンデンサＣから成る共振回路２を有しており、この共振回路２に電源回路３，復調回路４及びシャント回路５が接続される。電源回路３は共振回路２に得られる信号を整流し平滑することによって、データキャリア１内の各部に電源を供給するものである。復調回路４はリーダライタから得られるコマンドやデータを復調して制御回路６に与えるものである。制御回路６は電源回路３より電源が供給されたときに、復調回路４より得られるコマンド及びデータに基づいて後述するように仮識別番号を生成し、仮識別番号の一致を判別してＩＤコードを送信し、データ通信時にはメモリ７にデータを書込むと共に、メモリ７よりデータを読出すものであり、後述するように仮識別番号生成手段６ａ，判別手段６ｂ及びＩＤコード送信手段の機能６ｃを有している。メモリ７より読出されたデータは直列信号に変換されてシャント回路５に与えられる。シャント回路５はデータキャリアが受信状態にあるときにキャリアの停止時に、共振回路２の両端の短絡状態を制御することにより残響を制御するものであって、その残響によりリーダライタ側に信号を伝送するものである。
【００１６】
一方図２に示すリーダライタ１１はコントローラ１２と送信回路１３，受信回路１４によって構成されている。送信回路１３は送信コイルＬ２を有しており、データの送信時には送信データに基づいてデューティ比を変化させ、受信時には一定のデューティ比でキャリアを断続するものである。受信回路１４は受信コイルＬ３を有しており、信号の受信時にキャリアの停止する期間において残響の有無を判別することによって、データキャリアからの信号を受信するものである。又コントローラ１２はデータキャリアと交信する前にＩＤコードのエリアを指定して多重コマンドを送信し、受信した仮識別番号から交信対象となるデータキャリアを選択し、特定のデータキャリアを選択してデータ通信を行うものである。コントローラ１２は後述するように多重コマンド送信手段１２ａ，データキャリア識別手段１２ｂとデータキャリア識別時にエラーがあればＩＤコードのエリアを変更するエリア変更手段１２ｃの機能を有している。ここで多重コマンドとは、データキャリアのＩＤコード又はその指定エリアをデコードしてリーダライタ側に返送することを要求するコマンドである。
【００１７】
さてこの実施の形態では、データキャリア１のメモリ７は図３に示すようにＩＤコードエリア７ａを含むシステムエリアとユーザエリアとから成り立っている。ＩＤコードエリア７ａは例えば４バイト領域に各データキャリアに固有のコードが設定されるものとする。ＩＤコードエリアを４バイトとすると、２３２個のデータキャリアを識別することができる。そしてデータキャリアはこのＩＤコードの各バイトを２分割し、８ニブルをエリア１〜エリア８とし、その１つを仮識別番号の生成用データとして用いる。各エリアは４ビットのＩＤコードから成るが、そのうちの１つのエリアをデータライタ１１側から指定するものとする。そしてデータキャリア１のメモリ内には、指定されたエリアを仮識別番号の生成用データ（４ビット）とし、図４に示すようにこれをデコードして１６ビットの仮識別番号に展開した仮識別番号を保持しておく仮識別番号エリア７ｂを有している。デコードされた仮識別番号は、生成用データの「００００」〜「１１１１」の１６の種類のデータについて夫々特定のビットのみが１となり、他は全て０となるものである。
【００１８】
次にリーダライタとデータキャリアとのデータ通信の動作について説明する。図５はデータキャリア１の動作を示すフローチャートであり、図６はリーダライタ１１の動作を示すフローチャートである。リーダライタ１１はデータキャリアを識別するためにまずステップ２１において、ＩＤコードの特定のエリアを指定して多重コマンドを送信する。例えば第１バイトの上位４ビットのエリア１を指定して多重コマンドを送信するものとする。データ通信領域にあるデータキャリアはステップ３１においてこのコマンドを受信すると、夫々のエリア１のデータを仮識別番号の生成用データとしてデコードし、図４で示すように仮識別番号を生成する。例えば生成用データが「０００１」，「００１０」，「１１００」，「１１００」の４枚のデータキャリア１−１，１−２，１−３，１−４が１つのリーダライタの通信領域にある場合には、各データキャリアは夫々の仮識別番号をステップ３２において生成する。ここでデータキャリア１−１，１−２，１−３，１−４が生成する仮識別番号は、夫々「００００００００００００００１０」，「０００００００００００００１００」，「０００１００００００００００００」，「０００１００００００００００００」となる。次にデータキャリアはステップ３３に進んでこのデータを同時に返信する。
【００１９】
図７（ａ）はこの返信時にリーダライタ１１の送信回路１３よりデータキャリアに伝送する信号を示している。リーダライタ１１がデータを受信する際には、図示のように一定の周期で、例えば５０％のデューティ比でキャリアを断続させる。従って仮識別番号の返信時にはデータキャリア１−１，１−２，１−３，１−４のシャント回路５が夫々の仮識別番号に応じて共振回路の残響を制御するため、各データキャリアからは図７（ｂ），（ｃ），（ｄ），（ｅ）に示すように信号が出力される。この信号はリーダライタ１１の受信回路１４により同時に受信されるため、図７（ｆ）に示す信号が得られる。
【００２０】
一方リーダライタ１１はこのレスポンスを受信すると、キャリアが停止している間の残響の有無を判別する。そうすれば図７（ｇ）に示されるように、重ね合わされた仮識別番号が得られ、データ通信領域に少なくとも３つのデータキャリアが存在することが認識できる。
【００２１】
リーダライタ１１はこのようにしてデータキャリアの仮識別番号を識別した後、交信対象となるデータキャリアを選択する。通信領域にある全てのデータキャリアと通信する場合には、任意のビットが立っている１つの仮識別番号を選択し、その仮識別番号をエンコードして元の生成用データに逆変換する（ステップ２４）。そしてステップ２５に進んで元の生成用データを付けてデータキャリアに対してＩＤコードの読出コマンドを送信する。例えば生成用データ「０００１」のデータキャリア１−１を選択してＩＤコードの読出コマンドを送信する。
【００２２】
データキャリアはステップ３３からステップ３４に進んで、指定されたエリア、この場合にはエリア１のＩＤコードと、送られてきた４ビット分のＩＤコードとが一致するかどうかを判断する。これが一致しなければステップ３１に戻り、一致する場合にはステップ３５に進んでシステムエリアの４バイト分のＩＤコードを返送する。この場合にはデータキャリア１−１は指定エリアのＩＤコードエリアと一致するため、ステップ３５に進んでシステムエリアの全ＩＤコードの４バイトのデータを返信する。又他のデータキャリア１−２，１−３，１−４は一致しないため、ステップ３１に戻って多重コマンドを待受ける。リーダライタ１１はステップ２６に進んでこのデータを待受け、ステップ２７に進んでＣＲＣエラーがあるかどうかを判別する。ＣＲＣエラーがなければステップ２８に進んで受信されたＩＤコードを含んだリードコマンドやライトコマンドを伝送し、そのデータキャリア、この場合は１−１とのデータ通信を行う。そしてデータキャリア１−１との通信が終わると、ステップ２９においてデータキャリアにデータ通信終了コマンドを送信してステップ２１に戻って同様の処理を繰り返す。こうすれば以後は交信を終えたデータキャリア１−１からは応答がなくなり、ステップ２３において選択されていなかった他のデータキャリアを選択することができる。こうすればデータキャリア１−１に続けて、指定したエリア１のデータが重複していないデータキャリア１−２とも、同様にしてデータ通信を行うことができる。
【００２３】
そしてステップ２７においてＣＲＣエラーが残る場合には、指定したエリアのデータキャリアが重複している場合である。例えばデータキャリア１−３，１−４はＩＤコード全体では異なるが、エリア１だけについて見れば同一である。この場合には複数のデータキャリアがＩＤコードを返信するため、ステップ２７においてＣＲＣエラーが発生する。この場合にはステップ３０に進んで生成用データを抽出する指定エリアを変更してステップ２１に戻って同様の処理を繰り返す。こうすればデータキャリア１−３と１−４のようにエリア１ではＩＤコードが重複していても、他のエリアではＩＤコードが重複していない可能性が高いため、夫々のデータキャリアと個別にデータ通信を行うことができる。この場合には既に交信を終えていたデータキャリア、例えばＤＣ１−１，１−２はデータ通信を終了すると、多重コマンドがあっても応答をしないので、通信領域に複数のデータキャリアがあっても、比較的短時間で混信することなく順次データ通信を行うことができる。
【００２４】
ここでデータキャリアはステップ３１，３２において、多重コマンドを受信したときにＩＤコードをデコードして仮識別番号を生成する仮識別番号生成手段６ａの機能を達成しており、ステップ３３，３４において、仮識別番号生成手段６ａによって生成された仮識別番号と送信した仮識別番号と一致するデータが受信されたかどうかを判別する判別手段６ｂの機能を達成している。更にデータキャリアはステップ３５において、一致判別時にＩＤコードを送信するＩＤコード送信手段６ｃの機能を達成している。一方リーダライタはステップ２１において、多重コマンドを送信する多重コマンド送信手段１２ａの機能を達成しており、ステップ２２〜２６において、仮識別番号からデータキャリアを選択し、選択したデータキャリアのＩＤコードを読出すことによって、データキャリアを識別するデータキャリア識別手段１２ｂの機能を達成している。更にリーダライタはステップ２７，３０において、ＩＤコードの受信時にエラーが生じたとき多重コマンドの指定エリアを変更するエリア変更手段１２ｃの機能を達成している。
【００２５】
尚前述した実施の形態では、リーダライタ１１を用いているが、単にデータキャリアを識別するだけであればデータキャリアのメモリにデータを書込むための書込機能を有する必要はない。又この実施の形態では、データキャリアからのデータの読出し時に一定のデューティ比でキャリアを断続し、キャリアが停止している間の残響の有無によってデータキャリアからのデータを読出すようにしているが、このような通信方式に限らず、ＦＳＫ等他の通信方式においても本発明を適用することができる。
【００２６】
又この実施の形態では、メモリのＩＤコードエリアを複数のエリアに分割し、リーダライタ側から選択されたエリアをデコードして仮識別番号を生成しているが、比較的少数のデータキャリアを識別する場合にはＩＤコードをそのままデコードして仮識別番号とするようにしてもよい。この場合には複数のデータキャリアが同一通信領域にあっても、リーダライタがデータキャリアを選択した段階でデータキャリア側からＩＤデータを返送するときに受信エラーが起こる可能性がなく、そのままデータキャリアを識別することができる。又単にデータキャリアを識別する機能を有するものとしてもよく、この実施の形態のようにデータキャリアを識別した後データ通信を行うようにしてもよい。更に本実施の形態では、ステップ２４，２５においてリーダライタは受信した仮識別番号をＩＤコードに変換して全ＩＤコードの読出コマンドを送出しているが、選択したデータキャリアの仮識別番号をそのまま伝送して読出コマンドとしてもよい。
【００２７】
【発明の効果】
以上詳細に説明したように本願の請求項１の発明によれば、複数のデータキャリアが同時に通信領域にある場合にも、ＩＤコードを仮識別番号にデコードしてこれを識別することにより、通信領域のデータキャリアを識別することができる。更に請求項２〜６の発明では、多数のデータキャリアを識別するためにＩＤコードの領域を大きくしていた場合にも、ＩＤコードのエリアを分割して特定のエリアのみを仮識別番号にデコードすることにより、短時間でデータキャリアを識別することができる。又請求項３の発明では、こうして識別したデータキャリアとの間でデータ通信を行うことができる。更に請求項６の発明では、ＩＤコードをデータキャリア側から送信する際に通信エラーが生じた場合に、他のエリアを選択することにより、短時間でデータキャリアの識別及びデータ通信が可能となる。
【図面の簡単な説明】
【図１】本発明の実施の形態による非接触識別システムのデータキャリアの構成を示すブロック図である。
【図２】本発明の実施の形態による非接触識別システムのリーダライタの構成を示すブロック図である。
【図３】この実施の形態によるデータキャリアのメモリエリアを示す図である。
【図４】生成用データとこれによって生成される仮識別番号を示す図である。
【図５】この実施の形態によるリーダライタの動作を示すフローチャートである。
【図６】この実施の形態によるデータキャリアの動作を示すフローチャートである。
【図７】データキャリア識別時のリーダライタの出力及び各データキャリアからの出力とその受信データを示す波形図である。
【図８】従来の非接触識別システムにおいて複数のデータキャリアを識別する場合の説明図である。
【符号の説明】
１，１−１〜１−４  データキャリア
２  共振回路
３  電源回路
４  復調回路
５  シャント回路
６  制御回路
６ａ  仮識別番号生成手段
６ｂ  判別手段
６ｃ  ＩＤコード送信手段
７  メモリ
７ａ  ＩＤコードエリア
７ｂ  仮識別番号エリア
１１  リーダライタ
１２  コントローラ
１２ａ  多重コマンド送信手段
１２ｂ  データキャリア識別手段
１２ｃ  エリア変更手段
１３  送信回路
１４  受信回路
【図１】
0003584332.tif 000002
【図２】
0003584332.tif 000003
【図３】
0003584332.tif 000004
【図４】
0003584332.tif 000005
【図５】
0003584332.tif 000006
【図６】
0003584332.tif 000007
【図７】
0003584332.tif 000008
【図８】
0003584332.tif 000009